(57)【要約】  【課題】  一層の小型化を図ることができるＬＥＤ照明装置を提供すること。  【解決手段】  発光面の有効幅がＭであるＬＥＤ発光素子から照射される照明光を、半値角が１度から１０度となる照明光とすることができるレンズの有効径をＲとしたとき、複数の単位レンズ１５から構成されるレンズアレイ２と、単位レンズ１５毎に備えられるＬＥＤチップ５とを有するＬＥＤ照明装置１において、レンズアレイ２の光軸Ｓと直交する方向に配列される単位レンズ１５の個数の内、最も多い数をＮとし、ＬＥＤチップ５の前面部１２の有効幅ＷをＭ／Ｎ以下とし、ＬＥＤチップ５から照射される照射光を、半値角が１度から１０度となる照明光とすることができるように単位レンズ１５を構成する。【選択図】  図１
2011090796.tif 000002
【特許請求の範囲】
【請求項１】
発光面の有効幅がＭであるＬＥＤ発光素子から照射される照明光を、半値角が１度から１０度となる照明光とすることができるレンズの有効径をＲとしたとき、
複数の単位レンズから構成されるレンズアレイと、上記単位レンズ毎に備えられる単位ＬＥＤ発光素子とを有するＬＥＤ照明装置において、
上記レンズアレイの光軸と直交する方向に配列される単位レンズの個数の内、最も多い数をＮとし、上記単位ＬＥＤ発光素子の発光面の有効幅ＷをＭ／Ｎ以下とし、上記単位ＬＥＤ発光素子から照射される照射光を、半値角が１度から１０度となる照明光とすることができるように上記単位レンズを構成したこと、
を特徴とするＬＥＤ照明装置。
【請求項２】
請求項１に記載のＬＥＤ照明装置において、
前記単位ＬＥＤ発光素子は、基板部の前面にマウントされていること、
を特徴とするＬＥＤ照明装置。
【請求項３】
光ファイバー内に光を導入するために用いる光ファイバー導光用照明装置として、請求項１または２に記載のＬＥＤ照明装置を用いたことを特徴とする光ファイバー導光用照明装置。
【請求項４】
自動車用の外部照明装置として、請求項１または２に記載のＬＥＤ照明装置を用いたことを特徴とする自動車用の外部照明装置。
【発明の詳細な説明】
【技術分野】
【０００１】
本発明は、ＬＥＤ照明装置、光ファイバー導光用照明装置、自動車用の外部照明装置に関する。
【背景技術】
【０００２】
従来より、照明光源としてのＬＥＤ発光素子を用い、このＬＥＤ発光素子から出射された照明光を集光レンズにより集光させる構成のＬＥＤ照明装置が知られている。かかるＬＥＤ照明装置において、照明光を所定の半値角となるように集光レンズを構成する場合、集光レンズの有効径は、ＬＥＤ発光素子の発光部の面積が広くなるに従って大きくなる。具体的には、たとえば、集光レンズの光軸に直交する縦横１ｍｍの矩形状を呈する発光面を有するＬＥＤ発光素子を光源として、半値角６度の照明光となるように集光レンズを構成した場合、この集光レンズの有効径は４８ｍｍ程度必要となる。また、このときの集光レンズの光軸方向の厚さは、概ね２８ｍｍとなる。
【０００３】
一般に、ＬＥＤ発光素子を光源として半値角６度の照明光を得るためには、発光面の有効幅（発光面の最も幅広となる方向の長さ。たとえば、発光面が矩形の場合には対角方向の長さ。発光面が円形の場合には直径。）に対して、有効径が３４倍程度、光軸方向の厚さが概ね２０倍の大きさの集光レンズが必要となる。つまり、上述の１ｍｍ角の発光面では、発光面の対角方向の幅である１．４ｍｍ（１ｍｍ×２１／２）が有効幅となり、集光レンズの有効径は、１．４ｍｍのほぼ３４倍である４７．６ｍｍ（≒４８ｍｍ）となる。そして、集光レンズの光軸方向の厚さは、１．４ｍｍのほぼ２０倍である２８ｍｍとなる。
【０００４】
また、従来より、たとえば、特許文献１，２に開示されるように、均一な照度で照射範囲を広くするために、複数のＬＥＤ照明装置を面上に配置した構成のものが知られている。
【先行技術文献】
【特許文献】
【０００５】
【特許文献１】特開２００６−７２８７４号
【特許文献２】特開２００７−２６５９６４号
【発明の概要】
【発明が解決しようとする課題】
【０００６】
ところで、ＬＥＤ照明装置の利点として、たとえば、蛍光灯や白熱球を用いた照明装置に比べてエネルギー効率が高く、長寿命であり、さらに照射される光による発熱が少ない、ということが挙げられる。また、電球や蛍光灯は、フィラメントの周囲を不活性ガスで充満させたり真空状態とするためのガラス球あるいはガラス管が必要であるため、発光部（フィラメント部）の大きさに比べて照明装置の大きさが極めて大きな構成となる。これに対し、ＬＥＤ照明装置は、ＬＥＤ発光素子の周囲を封入樹脂で覆う程度の構造で、照明装置として機能させることができるため、電球や蛍光灯を用いた照明装置に比べて格段の小型化を図ることができるという利点がある。そのため、室内照明器具、ディスプレイ照明装置、自動車のテールランプ等の照明装置を用いる各種装置にＬＥＤ照明装置を用いることで、ＬＥＤ照明装置が用いられた装置は、上記のＬＥＤ照明装置の利点が生かされたものとなっている。一方、近年、さまざまな分野で、省エネや省スペース化が要求されるなかで、ＬＥＤ照明装置に対して、機能や性能を維持しつつ、さらなる小型化が期待されている。
【０００７】
そこで、本発明は、一層の小型化を図ることができるＬＥＤ照明装置を提供することを目的とする。
【課題を解決するための手段】
【０００８】
上記課題を解決するために、本発明のＬＥＤ照明装置は、発光面の有効幅がＭであるＬＥＤ発光素子から照射される照明光を、半値角が１度から１０度となる照明光とすることができるレンズの有効径をＲとしたとき、複数の単位レンズから構成されるレンズアレイと、単位レンズ毎に備えられる単位ＬＥＤ発光素子とを有するＬＥＤ照明装置であって、レンズアレイの光軸と直交する方向に配列される単位レンズの個数の内、最も多い数をＮとし、単位ＬＥＤ発光素子の発光面の有効幅ＷをＭ／Ｎ以下とし、単位ＬＥＤ発光素子から照射される照射光を、半値角が１度から１０度となる照明光とすることができるように上記単位レンズを構成することとする。
【０００９】
上記発明に加えて、ＬＥＤ照明装置は、単位ＬＥＤ発光素子は、基板部の上面にマウントされていることとする。
【００１０】
また、他の発明は、光ファイバー内に光を導入するために用いる光ファイバー導光用照明装置として、上述のＬＥＤ照明装置を用いたこととする。
【００１１】
また、他の発明は、自動車用の外部照明装置として、上述のＬＥＤ照明装置を用いたこととする。
【発明の効果】
【００１２】
本発明によると、ＬＥＤ照明装置の小型化を図ることができる。
【図面の簡単な説明】
【００１３】
【図１】本発明の実施の形態に係るＬＥＤ照明装置の斜視図である。
【図２】図１に示すＬＥＤ照明装置に使用されるレンズアレイを光の入射方向から見た斜視図である。
【図３】図１に示す切断線Ａ−Ａにおける部分断面図および拡大断面図である。
【図４】本発明の実施の形態に係るＬＥＤ照明装置の変形例を示す図である。
【図５】本発明の実施の形態に係る光ファイバー導光用照明装置の概略構成を示す図である。
【発明を実施するための形態】
【００１４】
（実施の形態１）
（ＬＥＤ照明装置１の全体構成）
以下に、図１から図３を参照しながら、本発明の実施の形態に係るＬＥＤ照明装置１の構成について説明する。図１は、ＬＥＤ照明装置１を斜め前方から見た斜視図である。図２は、ＬＥＤ照明装置１に使用されるレンズアレイ２を光の入射側（後方）から見た斜視図である。図３は、図１に示す切断線Ａ−ＡにおけるＬＥＤ照明装置１の断面の概略の構成を示す部分断面図および拡大断面図である。なお、各図におけるＸ方向をＬＥＤ照明装置１の前方（後述の光軸Ｓ，Ｌに沿う方向）とし、ＬＥＤ照明装置１の照明光の照明方向とする。また、Ｙ方向をＬＥＤ照明装置１の上方、Ｚ方向をＬＥＤ照明装置１の左方として、以下の説明を行うこととする。
【００１５】
ＬＥＤ照明装置１は、基板３と、基板３の前面４に搭載される単位ＬＥＤ発光素子としての複数のＬＥＤチップ５と、封止樹脂６と、レンズアレイ２等を有する。基板３は、金属板７の前面に、絶縁層８が形成され、さらに、絶縁層８の前面に導電パターン９が形成されている構成となっている。金属板７は、たとえば、アルミニウム板により形成されている。また、絶縁層８は、たとえば、ガラスエボキシ樹脂等から形成されている。そして、導電パターン９は、たとえば、銅の表面に、ニッケルメッキそして金メッキを施したものを用いている。導電パターン９は、各ＬＥＤチップ５のアノード電極（図示省略）とカソード電極（図示省略）とに接続されている。導電パターン９の内、アノード電極に接続される側は給電ランド部１０に接続され、カソード電極に接続される側は給電ランド部１１に接続されている。したがって、給電ランド部１０，１１に給電を行うことで、各ＬＥＤチップ５のアノード電極およびカソード電極に給電を行うことができる。
【００１６】
各ＬＥＤチップ５は、基板３の前面４に左右上下方向にマトリクス状に配列され、かつ、配列の最外周において全体的に円形を呈するように配列されている。すなわち、円形内に複数のＬＥＤチップ５が、左右上下方向にマトリクス状に配列されている。また、各ＬＥＤチップ５は、前面部１２および左右上下の側面部１３が基板３の前面４よりも前方（照明方向）に突出するように基板３に搭載（マウント）されている。
【００１７】
封止樹脂６は、基板３の前面４から突出するように配置されているＬＥＤチップ５の前面部１２および側面部１３を覆うようにＬＥＤチップ５を封止している。封止樹脂６は、たとえば、透光性を有するシリコーン樹脂やエボキシ樹脂等の熱硬化性樹脂にＬＥＤチップ５から出射した光により励起される蛍光体が混合されたものとなっている。たとえば、ＬＥＤチップ５から出射する光が青色光であるとき、蛍光体を黄色とすることで、封止樹脂６から出射する光を白色光に近いものとすることができる。
【００１８】
レンズアレイ２は、複数の単位レンズ１５から構成されている。レンズアレイ２（単位レンズ１５）は、たとえば、アクリル等の透明樹脂により形成され、射出成型等により複数の単位レンズ１５が一体的に構成されている。レンズアレイ２を構成する単位レンズ１５は、基板３の前面に配列されるＬＥＤチップ５の配列に合わせて配列されている。したがって、各単位レンズ１５と各ＬＥＤチップ５とを個々に対応させるようにして、基板３の前面にレンズアレイ２を配置することができる。
【００１９】
各単位レンズ１５は、図２および図３に示すように、後方に向けて凸部１６を有する凸レンズ形状を呈し、光反射面１７、光入射面１８、１９、および光出射面２０を有している。凸部１６の形状は、単位レンズ１５の光軸Ｌに対して回転対称であり、光反射面１７は、後方から前方に向けて光軸Ｌから離れる方向に徐々に開く二次曲線にて形成される形状を呈している。
【００２０】
凸部１６の後方部分には、後方から前方に向けて凹む凹部２１が形成されている。凹部２１は、全体として円錐台状を呈している。凹部２１の内側の側面（光軸Ｌを囲む面）が光入射面１８として形成され、また、凹部２１の前面（光軸Ｌと交差する面）が光入射面１９として形成されている。凹部２１は、レンズアレイ２を、各単位レンズ１５と各ＬＥＤチップ５とを個々に対応させるように基板３の前面に配置したときに、図３に示すように、凹部２１の内側にＬＥＤチップ５が配置されるように配置されている。単位レンズ１５の光出射面２０は平面に形成されている。したがって、レンズアレイ２の前面２２も平面に形成されている。
【００２１】
ＬＥＤチップ５から出射した光は、凹部２１の光入射面１８および光入射面１９に入射する。ＬＥＤチップ５から出射した光の内、光入射面１８に入射した光は、光反射面１７で前方に向けて全反射され、光出射面２０から出射する。また、ＬＥＤチップ５から出射した光の内、光入射面１９に入射した光は、光反射面１７を経ることなく、光出射面２０から前方に向けて出射する。本実施の形態では、各単位レンズ１５は、ＬＥＤチップ５から出射した光が、たとえば、半値角６度の照明光として光出射面２０から出射するように構成されている。そのため、レンズアレイ２全体として見たときにも、レンズアレイ２の前面２２から、半値角６度の照明光が出射することになる。
【００２２】
ところで、ＬＥＤチップ５は、前面部１２および側面部１３から面発光にて光が出射する。このように面発光を行うＬＥＤチップ５に換えて、仮に、理想的な点光源を用いた場合には、光入射面１８，１９および光反射面１７それぞれの面内の各部には一方向からのみ光が入射する。したがって、単位レンズ１５は、該各部に一方向から入射する光について半値角が６度となるように構成すれば足りるため、極めて小さな構成にすることができる。これに対し、ＬＥＤチップ５は、上述したように面発光であり、光入射面１８，１９および光反射面１７それぞれの面内の各部には多方向から光が入射する。そのため、面発光するＬＥＤチップ５から出射した光が、半値角６度の照明光となるように単位レンズ１５を構成した場合には、上述の[背景技術]の項で説明したように、単位レンズ１５は、ＬＥＤチップ５の発光面の有効幅に対して３４倍程度の有効径と、２０倍程度の光軸方向の厚さとなってしまう。
【００２３】
ところで、発光面の有効幅と、集光レンズの有効径および光軸方向の厚さとは概ね比例関係にあり、たとえば、発光面の有効幅を１／２にすると集光レンズの有効径および光軸方向の厚さも概ね１／２となる。したがって、発光面の有効幅を小さくすることで、集光レンズの有効径および光軸方向の厚さを小さくすることができる。しかしながら、発光面の有効幅を小さくすると、集光レンズの小型化を図ることができる一方で、発光面の面積が小さくなるため照明光の光量も少なくなる。そこで、本実施の形態に係るＬＥＤ照明装置１は、係る点に着目し、次のように、ＬＥＤチップ５、単位レンズ１５およびレンズアレイ２が構成されている。
【００２４】
（ＬＥＤ照明装置１の具体的構成）
ＬＥＤ照明装置１は、所定のＬＥＤ照明装置（たとえば、ＬＥＤチップの発光面の有効幅が１．４ｍｍであり、このＬＥＤチップから出射した光を半値角６度の照明光を得るための集光レンズとして、有効径４８ｍｍ（≒３４×１．４ｍｍ）、光軸方向の厚さ２８ｍｍ（≒２０×１．４ｍｍ）の集光レンズを備えるＬＥＤ照明装置）に対して、レンズアレイ２の厚さについて、たとえば、１／４０となるように構成されたものである。
【００２５】
ＬＥＤ照明装置１のレンズアレイ２は、有効径Ｐ１（図２参照）が４８ｍｍに形成されている。また、レンズアレイ２は、図１から図３に示すように、単位レンズ１５が、緊密な状態で配列され、かつ、レンズアレイ２の光軸Ｓと直交する方向に配列される単位レンズ１５の個数の内、最も多い数が４０個となるように構成されている。つまり、レンズアレイ２は、有効径１．２ｍｍ（４８ｍｍ÷４０個）の単位レンズ１５が緊密に配列される構成となっている。本実施の形態では、レンズアレイ２の輪郭は円形を呈している。したがって、レンズアレイ２は、略１２５６個（≒４０／２個×４０／２個×３．１４）の単位レンズ１５が円内に緊密に配置されている。
【００２６】
ＬＥＤチップ５は、前面部１２が０．０２５ｍｍ角の矩形形状に形成されている。このとき、矩形を呈する前面部１２の対角方向の幅は、０．０３５ｍｍ（≒０．０２５ｍｍ×２１／２）であり、上述の所定のＬＥＤ照明装置に使用されるＬＥＤチップの発光面の有効幅１．４ｍｍに対して１／４０となっている。すなわち、前面部１２の対角方向の幅は、所定のＬＥＤ照明装置に使用されるＬＥＤチップの発光面の有効幅１．４ｍｍに対して、レンズアレイ２の光軸Ｓと直交する方向に配列される単位レンズ１５の個数の内、最も多い数（４０個）分の１となっている。
【００２７】
単位レンズ１５は、主として、ＬＥＤチップ５の前面部１２から出射する光が半値角６度の照明光として照射されるように構成されている。なお、ＬＥＤ照明装置１は、ＬＥＤチップ５の前面部１２が発光面として構成されている。
【００２８】
上述したように、発光面の有効幅と、集光レンズの有効径および光軸方向の厚さとは概ね比例関係にある。したがって、単位レンズ１５を、上述の発光面の有効幅が１．４ｍｍであるＬＥＤチップに対して構成される集光レンズに対して、１／４０（≒１．４／０．０３５）の大きさに構成することで、単位レンズ１５を、有効径Ｑを４８ｍｍの１／４０である１．２ｍｍに、厚さＴを２８ｍｍの１／４０の０．７ｍｍに構成とすることができる。
【００２９】
ＬＥＤ照明装置１の単位レンズ１５は、光軸Ｓと直交する方向に配列されている。つまり、レンズアレイ２の光軸Ｓ方向の厚さは、単位レンズ１５の個数に拘わらず、単位レンズ１５の光軸Ｌ方向の厚さに構成されている。また、ＬＥＤチップ５を備えた単位レンズ１５を複数、直径４８ｍｍの円内に緊密に配置することで、照明光の光量の増大を図ることができる。このようにＬＥＤ照明装置１は、ＬＥＤチップ５の前面部１２（発光面）の有効幅を、所定のＬＥＤ照明装置に用いられるＬＥＤチップの発光面の有効幅１．４ｍｍに対して、レンズアレイ２の光軸Ｓと直交する方向に配列される単位レンズ１５の個数の内、最も多い数である４０個分の１とすることで、ＬＥＤチップ５から照射される照射光が半値角６度とすることができる単位レンズ１５の有効径と厚さを、所定のＬＥＤ照明装置に用いられる集光レンズの１／４０とすることができる。そして、ＬＥＤチップ５を備えた単位レンズ１５を複数、光軸Ｓと直交する方向に配列することで、レンズアレイ２の厚さを単位レンズ１５の厚さとしながら、照明光の光量を増やすことができる。
【００３０】
上述の所定のＬＥＤ照明装置のように、１つのＬＥＤチップ（発光面の有効幅１．４ｍｍ）により光源が構成する場合に比べて、ＬＥＤ照明装置１は、発光面の有効幅が０．０３５ｍｍの複数のＬＥＤチップ５により光源が構成されている。つまり、各ＬＥＤチップ５が間隔を開けて配置されている。したがって、各ＬＥＤチップ５から発生する熱を効率よく発散することができる。
【００３１】
また、ＬＥＤチップ５は、側面部１３においても発光している。そのため、この側面部１３から発光される光を照明光に利用することで、単位レンズ１５から出射する光の光量を増やすことができる。なお、側面部１３の面積に相当する面積分だけ前面部１２の面積を大きくすることで、単位レンズ１５から出射する光の光量を増やすこともできる。しかしながら、前面部１２の面積が大きくなることに連れて、前面部１２の光軸Ｓから遠い部分の面が増える。そして、光軸Ｓから遠い部分の面から出射した光を、半値角６度の照明光に利用できるようにすると、単位レンズ１５の有効径や厚さが大きくなり易い。これに対し、側面部１３は、光軸Ｓに平行な面である。そのため、前面部１２の光軸Ｓから遠い部分の面の増加を抑えながら、ＬＥＤチップ５の発光部の面積を増やすことができる。したがって、ＬＥＤチップ５を、基板３の前面から突出するように配置することで、前面部１２の周囲に側面部１３を設けることができ、単位レンズ１５の大型化を抑えながら、半値角６度で出射する照明光の光量を増やすことができる。
【００３２】
なお、上述のＬＥＤ照明装置１は、半値角６度の例を示して説明したが、半値角は６度に限定されるものでなく、ＬＥＤ照明装置１の用途等に応じて適宜の半値角に設定することができる。しかしながら、一般に、集光レンズは、半値角を１０度以下とすると、光軸方向の厚さや有効径が大きくなり易い傾向がある。これに対し、上述のレンズアレイ２のように、単位レンズ１５毎にＬＥＤチップ５を備えることでレンズアレイ２の厚さの増大を抑えることができる。
【００３３】
レンズアレイ２は、隣接する単位レンズ１５同士を接合することができるように、単位レンズ１５の前面側に接合層２３を設ける構成としてもよい。この接合層２３の前後方向の厚さは、たとえば、１ｍｍ程度とすることができる。
【００３４】
上述のＬＥＤ照明装置１のレンズアレイ２では、有効径４８ｍｍとなるように単位レンズ１５が配列されているが、配列個数を少なくすることで有効径を小さくすることができる。たとえば、図４に示すように、レンズアレイ２４の光軸Ｓと直交する方向に配列される単位レンズ１５（有効径１．２ｍｍ、厚さ０．７ｍｍ）の個数の内、最も多い数を１７個とすることで、レンズアレイ２４の有効径Ｐ２を２０ｍｍ、厚さを０．７ｍｍに構成することができる。
【００３５】
（実施の形態の主な効果）
発光面の有効幅が１．４ｍｍであるＬＥＤ発光素子から照射される照明光を、半値角が１度から１０度となる照明光とすることができるレンズの有効径Ｒが４８ｍｍであるＬＥＤ照明装置に対して、本実施の形態に係るＬＥＤ照明装置１は、レンズアレイ２の光軸Ｓと直交する方向に配列される単位レンズ１５の個数の内最も多い数は４０であり、単位ＬＥＤ発光素子としてのＬＥＤチップ５の発光面である前面部の有効幅Ｗが０．０３５ｍｍ（１．４ｍｍ／４０）とされ、単位レンズ１５は、ＬＥＤチップ５から照射される照射光を半値角が１度から１０度となる照明光とすることができるように構成されている。
【００３６】
このように、ＬＥＤチップ５の前面部の有効幅Ｗを０．０３５ｍｍとすることで、前面部の有効幅Ｗを１．４ｍｍとする場合に比べて、単位レンズの光軸Ｌ方向の厚さを１／４０とすることができる。そのため、ＬＥＤ照明装置１の薄型化することができ、全体として小型化を図ることができる。また、各ＬＥＤチップ５は、隣接する単位レンズ１５の光軸Ｌの間隔を開けて配置されているため、放熱し易い構成となっている。
【００３７】
ＬＥＤ照明装置１のＬＥＤチップは、基板の前面（照明方向）に搭載され、前面部１２および側面部１３が、基板３の前面から突出している。そのため、側面部から出射される光を、光軸Ｌに沿った方向の面から出射する光として単位レンズ１５に入射させることができる。したがって、ＬＥＤチップから出射した光を所定の半値角の照明光に集光させることができる単位レンズ１５の小型化を図り易い。
【００３８】
（ＬＥＤ照明装置１の利用例１）
図５に示すように、上述のように構成されるＬＥＤ照明装置１は、光ファイバー導光用照明装置３０の照明光源として利用することができる。光ファイバー導光用照明装置３０は、上述のＬＥＤ照明装置１および集光レンズ３１を有し、ＬＥＤ照明装置１から出射した照明光を集光レンズ３１により集光し光ファイバー３２内に導光する。光ファイバー３２の開口端３３は、たとえば、直径３ｍｍ程度であり、集光レンズ３１は、ＬＥＤ照明装置１から出射した光を開口端３３内に導光されるように集光させる。ＬＥＤ照明装置１は、上述したようにレンズアレイ２の全面に亘って、各単位レンズ１５から半値角６度の照明光が出射される構成となっている。そのため、集光レンズ３１に入射するＬＥＤ照明装置１からの光は入射位置毎の入射角の差が小さく、ＬＥＤ照明装置１から照射された光の集光距離の短縮化を図ることができる。集光レンズ３３を非球面レンズとすることで、ＬＥＤ照明装置１から照射された光の集光距離、すなわち、集光レンズ３３と開口端３３との間の距離をより短く構成することができる。
【００３９】
（ＬＥＤ照明装置１の利用例２）
ＬＥＤ照明装置１は、上述したように薄型化を図ることができる。したがって、自動車のヘッドライト、テールランプ、あるいはブレーキランプ等の外部照明装置として、自動車のボディの外側に配置することができる。また、単位レンズ１５の配列を変えることで、レンズアレイ２の光出射面の形状を様々な形状とすることができる。そのため、レンズアレイ２の光出射面の形状を、ボディの配置スペースの形状に合わせることができ、ＬＥＤ照明装置１のボディへの配置位置の制限を少なくすることができる。
【００４０】
（ＬＥＤ照明装置１の利用例３）
ＬＥＤ照明装置１の照明光の出射部にフレネルレンズを備えることにより、照射角を可変することができる照明装置として構成することができる。つまり、該フレネルレンズの集光の程度を適宜に設定することにより、ＬＥＤ照明装置１から出射した照明光の照射角を変えることができる。ＬＥＤ照明装置１自体が薄型に構成されているため、フレネルレンズを備えた場合も全体として薄型の照明装置として構成することができる。
【００４１】
（ＬＥＤ照明装置１の利用例４）
展示パネルや看板等を外部から照明する照明装置としてＬＥＤ照明装置１を利用することができる。この場合、ＬＥＤチップ５および単位レンズ１５等の配列を展示パネル等の被照明物の被照明面の形状に合わせることが好ましい。たとえば、被照明面の形状が矩形である場合、ＬＥＤチップ５および単位レンズ１５等の配列を矩形にすることで、被照明面の全体を照度斑を少なく照明することができる。上述したようにＬＥＤ照明装置１は、薄型化が図られている。そのため、ＬＥＤ照明装置１の配置場所やスペースに制限が少ない。したがって、被照明物の配置や、ＬＥＤ照明装置１の照明方向等の自由度を高いものとすることができる。
【符号の説明】
【００４２】
１  …  ＬＥＤ照明装置
２  …  レンズアレイ
３  …  基板（基板部）
４  …  前面
５  …  ＬＥＤチップ（単位ＬＥＤ発光素子）
１２  …  前面部（発光面）
１５  …  単位レンズ
３０  …  光ファイバー導光用照明装置
３２  …  光ファイバー
Ｓ  …  レンズアレイの光軸
【図１】
2011090796.tif 000003
【図２】
2011090796.tif 000004
【図３】
2011090796.tif 000005
【図４】
2011090796.tif 000006
【図５】
2011090796.tif 000007